(57)【要約】      （修正有）【課題】実用に必要な構成を有するＩＰＤＣ受信機を提供する。【解決手段】ＩＰＤＣ受信機１は、放送波信号が入力される入力端子１１と、入力端子１１に入力された放送波信号を２分配する分配器１６と、分配器１６によって２分配された放送波信号のうちの一方をＩＰＤＣの外部に出力するための出力端子１２と、分配器１６によって２分配された放送波信号のうちの他方からＩＰデータを抽出して、抽出されたＩＰデータを無線で出力する無線出力回路２４と、放送波信号に重畳して入力端子１１または出力端子１２に供給された直流電圧から、無線出力回路２４の動作のための電源電圧を生成する電源回路２１とを備える。【選択図】図３
0003185123.tif 000002
【実用新案登録請求の範囲】
【請求項１】
ＩＰ（Internet  Protocol）データが重畳された放送信号を受信するＩＰＤＣ（IP  Data  Cast）受信機であって、
前記放送信号が入力される入力端子と、
前記入力端子に入力された前記放送信号を２つの信号に分ける信号分割部と、
前記信号分割部によって分けられた前記２つの放送信号のうちの一方を前記ＩＰＤＣの外部に出力するための出力端子と、
前記信号分割部によって分けられた前記２つの放送信号のうちの他方から前記ＩＰデータを抽出して、抽出された前記ＩＰデータを無線で出力する無線出力回路と、
前記放送信号に重畳して前記入力端子または前記出力端子に供給された直流電圧から、前記無線出力回路の動作のための電源電圧を生成する電源回路とを備える、ＩＰＤＣ受信機。
【請求項２】
前記電源回路は、
その一方端が、前記出力端子に接続される高周波チョークコイルと、
前記高周波チョークコイルの他方端から取り出された前記直流電圧を、前記電源電圧に変換する変換回路と、
前記高周波チョークコイルの前記他方端から前記変換回路への向きに順方向となるように、前記高周波チョークコイルの前記他方端と前記変換回路との間に接続される逆流防止ダイオードとを含む、請求項１に記載のＩＰＤＣ受信機。
【請求項３】
前記電源回路は、
その一方端が、前記入力端子に接続される高周波チョークコイルと、
前記高周波チョークコイルの他方端から取り出された前記直流電圧を、前記電源電圧に変換する変換回路と、
前記高周波チョークコイルの前記他方端から前記変換回路への向きに順方向となるように、前記高周波チョークコイルの前記他方端と前記変換回路との間に接続される逆流防止ダイオードとを含む、請求項１に記載のＩＰＤＣ受信機。
【請求項４】
前記電源回路は、
前記入力端子と前記出力端子との間に直列に接続される第１および第２の高周波チョークコイルと、
前記第１の高周波チョークコイルと前記第２の高周波チョークコイルとの接続点から取り出された前記直流電圧を、前記電源電圧に変換する変換回路と、
前記第１の高周波チョークコイルと前記第２の高周波チョークコイルとの前記接続点から前記変換回路への向きに順方向となるように、当該接続点と前記変換回路との間に接続される逆流防止ダイオードとを含む、請求項１に記載のＩＰＤＣ受信機。
【請求項５】
前記入力端子は、建物の壁に配置された放送信号受信用端子に直接接続可能なコネクタである、請求項１〜４のいずれか１項に記載のＩＰＤＣ受信機。
【考案の詳細な説明】
【技術分野】
【０００１】
本考案は、ＩＰＤＣ（IP  Data  Cast）受信機に関する。
【背景技術】
【０００２】
ＩＰＤＣ（IP  Data  Cast）は、放送信号にＩＰ（Internet  Protocol）データを重畳して、放送信号の送信によって、そのＩＰデータを一斉配信するサービスである。ＩＰＤＣを実現するための技術がこれまでに提案されている。
【０００３】
たとえば特開２０１０−１３６１３８号公報（特許文献１）は、視聴者が放送を視聴しているときに、その視聴中の放送内容に関連した情報の提供を受けることが可能な情報提供システムを開示する。たとえば特開２０１１−２３９０８７号公報（特許文献２）は、通信システムで送信される信号に加えて放送システムで放送される放送波を受信して、端末に中継等することができる受信中継装置を開示する。たとえば特開２０１１−２９９７２号公報（特許文献３）は、映像番組と関連コンテンツとを簡単に連携させることができる放送システム、受信装置等を開示する。
【先行技術文献】
【特許文献】
【０００４】
【特許文献１】特開２０１０−１３６１３８号公報
【特許文献２】特開２０１１−２３９０８７号公報
【特許文献３】特開２０１１−２９９７２号公報
【考案の概要】
【考案が解決しようとする課題】
【０００５】
上記の各文献は、ＩＰＤＣ受信機の基本的な機能を開示する。しかし、これらの文献は、ＩＰＤＣ受信機を動作させるための具体的構成について開示していない。したがってＩＰＤＣ受信機を実用化するための技術が求められる。
【０００６】
本考案の目的は、実用に必要な構成を有するＩＰＤＣ受信機を提供することである。
【課題を解決するための手段】
【０００７】
この考案のある局面に係るＩＰＤＣ受信機は、ＩＰデータが重畳された放送信号を受信するＩＰＤＣ受信機であって、放送信号が入力される入力端子と、入力端子に入力された放送信号を２つの信号に分ける信号分割部と、信号分割部によって分けられた２つの放送信号のうちの一方をＩＰＤＣの外部に出力するための出力端子と、信号分割部によって分けられた２つの放送信号のうちの他方から前記ＩＰデータを抽出して、抽出された前記ＩＰデータを無線で出力する無線出力回路と、放送信号に重畳して入力端子または出力端子に供給された直流電圧から、無線出力回路の動作のための電源電圧を生成する電源回路とを備える。
【０００８】
好ましくは、電源回路は、その一方端が、出力端子に接続される高周波チョークコイルと、高周波チョークコイルの他方端から取り出された直流電圧を、電源電圧に変換する変換回路と、高周波チョークコイルの他方端から変換回路への向きに順方向となるように、高周波チョークコイルの他方端と変換回路との間に接続される逆流防止ダイオードとを含む。
【０００９】
好ましくは、電源回路は、その一方端が、入力端子に接続される高周波チョークコイルと、高周波チョークコイルの他方端から取り出された直流電圧を、電源電圧に変換する変換回路と、高周波チョークコイルの他方端から変換回路への向きに順方向となるように、高周波チョークコイルの他方端と変換回路との間に接続される逆流防止ダイオードとを含む。
【００１０】
好ましくは、電源回路は、入力端子と出力端子との間に直列に接続される第１および第２の高周波チョークコイルと、第１の高周波チョークコイルと第２の高周波チョークコイルとの接続点から取り出された直流電圧を、電源電圧に変換する変換回路と、第１の高周波チョークコイルと第２の高周波チョークコイルとの接続点から変換回路への向きに順方向となるように、当該接続点と変換回路との間に接続される逆流防止ダイオードとを含む。
【００１１】
より好ましくは、入力端子は、建物の壁に配置された放送信号受信用端子に直接接続可能なコネクタである。
【考案の効果】
【００１２】
本考案によれば、実用可能なＩＰＤＣ受信機を提供することができる。
【図面の簡単な説明】
【００１３】
【図１】本考案の実施の形態１に係るＩＰＤＣ受信機を含むシステムの概要図である。
【図２】本考案の実施の形態１に係るＩＰＤＣ受信機１の概略的な外観を示した図である。
【図３】本考案の実施の形態１に係るＩＰＤＣ受信機１の内部構成を示したブロック図である。
【図４】本考案の実施の形態１に係るＩＰＤＣ受信機１の別の駆動方法を説明するための図である。
【図５】本考案の実施の形態２に係るＩＰＤＣ受信機１の内部構成を示したブロック図である。
【図６】本考案の実施の形態３に係るＩＰＤＣ受信機１を含むシステムの概要図である。
【図７】本考案の実施の形態３に係るＩＰＤＣ受信機１の内部構成を示したブロック図である。
【図８】本考案の実施の形態４に係るＩＰＤＣ受信機１を含むシステムの概要図である。
【図９】本考案の実施の形態４に係るＩＰＤＣ受信機１の概略的な外観を示した斜視図である。
【図１０】本考案の実施の形態４に係るＩＰＤＣ受信機１の内部構成を示したブロック図である。
【図１１】本考案の実施の形態５に係るＩＰＤＣ受信機１Ａを含むシステムの概要図である。
【図１２】本考案の実施の形態５に係るＩＰＤＣ受信機１Ａの１つの構成例を示した外観図である。
【図１３】図１２に示すＩＰＤＣ受信機１Ａの内部構成を示したブロック図である。
【図１４】本考案の実施の形態５に係るＩＰＤＣ受信機１Ａの他の構成例を示した外観図である。
【図１５】図１４に示すＩＰＤＣ受信機１Ａの内部構成を示したブロック図である。
【図１６】本考案の実施の形態６に係るＩＰＤＣ受信機１の内部構成を示したブロック図である。
【図１７】本考案の実施の形態７に係るＩＰＤＣ受信機１の１つの構成例を示したブロック図である。
【図１８】本考案の実施の形態７に係るＩＰＤＣ受信機１の他の構成例を示したブロック図である。
【図１９】本考案の実施の形態７に係るＩＰＤＣ受信機１のさらに他の構成例を示したブロック図である。
【考案を実施するための形態】
【００１４】
以下、図面を参照しつつ、本考案の実施の形態について説明する。以下の説明では、同一または対応する要素には同一の符号を付して、それらについての詳細な説明は繰り返さない。
【００１５】
［実施の形態１］
図１は、本考案の実施の形態１に係るＩＰＤＣ受信機を含むシステムの概要図である。図１を参照して、放送局１０１は、テレビ放送番組を製作する。製作されたテレビ放送番組の内容は、放送波の形態で電波塔１０２から発信される。この実施の形態では、地上デジタル放送のための放送波が電波塔１０２から発信される。
【００１６】
放送波とともに、任意のアプリケーションあるいはコンテンツ（たとえば画像、音声あるいは文字）が、所定のプロトコルに従ってＩＰ（Internet  Protocol）パケットとして送信される。これにより、いわゆるＩＰＤＣが行なわれる。たとえば放送プロトコルとしては、ＭＰＥＧ（Moving  Picture  Expert  Group）−２  ＴＳ（トランスポートストリーム）が使用される。ＴＳは、ＯＦＤＭ（Orthogonal  Frequency  Division  Multiplexing）にて多重化されるとともにデジタル変調されてデジタル放送波として送出される。なお、ＴＳの構成、ならびに、ＯＦＤＭによる多重化およびデジタル変調は、公知であるのでその詳細な説明はここでは繰り返さない。
【００１７】
家屋２００には、上記の放送波を受信するためのアンテナ２０１が設置されている。アンテナ２０１で受信された放送波は、ケーブル（たとえば同軸ケーブル）２０２を伝送して、本考案の実施の形態１に係るＩＰＤＣ受信機１に放送信号として入力される。
【００１８】
ＩＰＤＣ受信機１は、家屋２００の壁面５０に設けられた放送信号受信用端子（図１に示さず）に直接接続される。さらにＩＰＤＣ受信機１は、同軸ケーブルを介してテレビジョン受像機２に接続される。ケーブル２０２からＩＰＤＣ受信機１および同軸ケーブルを介してテレビジョン受像機２に放送信号が入力される。テレビジョン受像機２は、その放送信号を受けて、受信した放送番組の内容を画面に映像で表示するとともに、スピーカから音声を出力する。
【００１９】
なお、図示の都合上、ケーブル２０２の全体が家屋２００の外に配置されるように示されている。しかし、家屋２００の壁面５０に設けられた放送信号受信用端子への接続のため、ケーブル２０２は、その途中から家屋２００の中に引き込まれる。
【００２０】
ＩＰＤＣ受信機１は、さらに、受信した放送信号からＩＰデータを抽出する。ＩＰＤＣ受信機１は、その抽出されたＩＰデータを無線によって出力する。
【００２１】
家屋２００内には、たとえば無線ルータ３が設けられる。無線ルータ３は、ネットワーク３０１を介してサーバ３０２に接続される。無線ルータ３は、ＩＰＤＣ受信機１から無線によって出力されたＩＰデータを受信する。
【００２２】
無線ルータ３は、無線通信端末４との間で無線通信を行なう。無線通信端末４は、たとえばスマートフォン、タブレット、パーソナルコンピュータ等を含むがこれらに限定されない。無線通信端末４は、無線ルータ３を介してＩＰデータを受信する。
【００２３】
無線通信端末４は、受信ＩＰデータに対して所定の処理を実行することにより、たとえばコンテンツを再生する。たとえば無線通信端末４の表示画面に、ユーザが視聴中の番組の名称あるいは出演者等の情報が表示される。
【００２４】
なお、無線通信端末４は、ＩＰＤＣ受信機１からＩＰデータを直接受信することもできる。したがって無線ルータ３は、この実施の形態に係るシステムにおいて必須の構成要素ではない。
【００２５】
ＩＰＤＣ受信機１からＩＰデータを無線で出力するためには、ＩＰＤＣ受信機１に電源電圧を供給する必要がある。本考案に係る実施の形態では、電源電圧の種類はＤＣ電圧である。電源電圧は、ＩＰＤＣ受信機１に入力される放送信号またはＩＰＤＣ受信機１から出力される放送信号に重畳されることで、ＩＰＤＣ受信機１に供給される。
【００２６】
本考案の実施の形態１では、電源電圧がＩＰＤＣ受信機１に入力される放送信号またはＩＰＤＣ受信機１から出力される放送信号のいずれに重畳された場合にも、その電源電圧によりＩＰＤＣ受信機１は動作可能である。図１に示された構成では、テレビジョン受像機２からＩＰＤＣ受信機１に電源電圧が供給される。すなわち、テレビジョン受像機２は、ＩＰＤＣ受信機１から出力される放送信号にＩＰＤＣ受信機１の電源電圧を重畳する。
【００２７】
たとえば今日の多くのテレビジョン受像機は、ＢＳ（放送衛星）アンテナおよび／またはＣＳ（通信衛星）アンテナのコンバータに電源電圧を供給するための機能を有する。この実施の形態では、テレビジョン受像機２が上記の機能を利用することにより、ＩＰＤＣ受信機１から出力される放送信号にＩＰＤＣ受信機１の電源電圧を重畳することができる。
【００２８】
図２は、本考案の実施の形態１に係るＩＰＤＣ受信機１の概略的な外観を示した図である。図２を参照して、本考案の実施の形態１に係るＩＰＤＣ受信機１は、筐体１０と、入力端子１１と、出力端子１２とを有する。たとえば入力端子１１は、Ｆ型コネクタである。壁面５０には壁面端子５１が配置される。壁面端子５１は、放送信号受信用端子であり、たとえば「テレビコンセント」あるいは「テレビ端子」とも呼ばれる端子である。具体的には壁面端子５１は、Ｆ型コネクタである。したがって、入力端子１１は、壁面端子５１に直接接続することができる。
【００２９】
出力端子１２は、壁面端子５１と同じく、Ｆ型コネクタである。図２では、出力端子１２が、ＩＰＤＣ受信機１の筐体１０の表面から突出した形態が示されている。しかしながら、壁面端子５１と同様に、出力端子１２は、筐体１０の表面から突出しないように配置されていてもよい。
【００３０】
図３は、本考案の実施の形態１に係るＩＰＤＣ受信機１の内部構成を示したブロック図である。図３を参照して、ＩＰＤＣ受信機１は、入力端子１１と、出力端子１２と、高周波チョークコイル（ＲＦＣ）１３，１４と、逆流防止ダイオード１５と、分配器１６と、ＤＣ／ＤＣコンバータ（変換回路）１７と、ＩＳＤＢ（Integrated  Services  Digital  Broadcasting）−Ｔチューナ１８と、制御回路１９と、無線通信部２０とを備える。この実施の形態では、高周波チョークコイル（ＲＦＣ）１３，１４と、逆流防止ダイオード１５と、ＤＣ／ＤＣコンバータ１７とは、電源回路２１を構成する。また、ＩＳＤＢ−Ｔチューナ１８と、制御回路１９と、無線通信部２０とは、無線出力回路２４を構成する。
【００３１】
放送信号は、入力端子１１に入力されて、分配器１６により、出力端子１２およびＩＳＤＢ−Ｔチューナ１８へと送られる。出力端子１２からは、入力端子１１に入力された放送信号がそのまま出力される。
【００３２】
ＩＳＤＢ−Ｔチューナ１８は、放送信号に重畳して伝送されるＴＳを放送信号から抽出する。制御回路１９は、その抽出されたＴＳを処理して、無線通信端末４に送信されるべきＩＰデータを抽出する。制御回路１９は、所定の演算処理を実行するＣＰＵ（Central  Processing  Unit）と、その処理のためのプログラムを不揮発的に記憶するＲＯＭ（Read  Only  Memory）と、ＣＰＵの処理に必要なデータを一時的に記憶するＲＡＭ(Random  Access  Memory)とを有する。
【００３３】
無線通信部２０は、制御回路１９によって抽出されたＩＰデータを無線により出力する。
【００３４】
ＲＦＣ１３（第１の高周波チョークコイル）は、入力端子１１に入力される放送信号にＤＣ電圧が重畳されている場合に、そのＤＣ電圧を放送信号から取り出すためのものである。ＲＦＣ１４（第２の高周波チョークコイル）は、出力端子１２から出力される放送信号にＤＣ電圧が重畳されている場合に、そのＤＣ電圧を放送信号から取り出すためのものである。
【００３５】
ＲＦＣ１３の一方端は、入力端子１１に接続される。ＲＦＣ１４の一方端は、出力端子１２に接続される。ＲＦＣ１３，１４の他方端同士が接続される。すなわちＲＦＣ１３，１４は、入力端子１１と出力端子１２との間に直列に接続される。
【００３６】
図３に示された構成によれば、入力端子１１と出力端子１２との間を電流が通過することができる。これにより、図１に示されたシステムの構成において、家屋２００に、アンテナ２０１に加えて、たとえば、ＢＳアンテナおよび／またはＣＳアンテナが設置されている場合には、そのＢＳアンテナおよび／またはＣＳアンテナのコンバータに、テレビジョン受像機２から、ＩＰＤＣ受信機１およびケーブル２０２を通じて電源電圧を供給することができる。
【００３７】
ＲＦＣ１３，１４の接続点には、逆流防止ダイオード１５のアノードが接続される。一方、逆流防止ダイオード１５のカソードは、ＤＣ／ＤＣコンバータ１７の入力側に接続される。すなわち逆流防止ダイオード１５は、ＲＦＣ１３の他方端とＲＦＣ１４の他方端との接続点からＤＣ／ＤＣコンバータ１７への向きに順方向となるように、当該接続点とＤＣ／ＤＣコンバータ１７との間に接続される。
【００３８】
ＲＦＣ１３の他方端またはＲＦＣ１４の他方端から、放送信号に重畳した電圧が取り出される。逆流防止ダイオード１５は、ＲＦＣ１３の他方端およびＲＦＣ１４の他方端からＤＣ／ＤＣコンバータ１７にＤＣ電流を流す一方で、その向きとは逆の向きにＤＣ電流が流れることを阻止する。
【００３９】
ＤＣ／ＤＣコンバータ１７は、ＲＦＣ１３またはＲＦＣ１４によって取り出されたＤＣ（直流）電圧を、無線出力回路２４（ＩＳＤＢ−Ｔチューナ１８、制御回路１９および無線通信部２０）の動作に適切な大きさを有する電源電圧に変換して、その電源電圧を無線出力回路に供給する。
【００４０】
図４は、本考案の実施の形態１に係るＩＰＤＣ受信機１の別の駆動方法を説明するための図である。図４を参照して、ケーブル２０２は、電源装置２０３に接続される。電源装置２０３は、ケーブル２０２を伝送される放送信号にＤＣ電圧を重畳して、ＤＣ電圧が重畳された放送信号を壁面端子５１に出力する。これにより、ＩＰＤＣ受信機１の入力端子１１が壁面端子５１に接続されると、ＩＰＤＣ受信機１は、放送信号とともに、電源電圧のためのＤＣ電圧を受けることができる。なお、電源装置２０３は、たとえばアンテナ２０１からの信号のレベルを増幅させるブースターの電源装置であってもよい。
【００４１】
本考案の実施の形態１では、ＩＰＤＣ受信機１は、入力端子１１に接続されるＲＦＣ１３および、出力端子１２に接続されるＲＦＣ１４を備える。この構成により、ＩＰＤＣ受信機１への入力信号およびＩＰＤＣ受信機１からの出力信号のいずれかに電源電圧が重畳された場合にも、その電源電圧によりＩＰＤＣ受信機１はＩＰデータを無線で出力することができる。このように本考案の実施の形態１によれば、実用可能なＩＰＤＣ受信機を提供することができる。
【００４２】
上記のように、今日の多くのテレビジョン受像機は、ＢＳアンテナおよび／またはＣＳアンテナのコンバータに電源電圧を供給するための機能を有する。この機能を利用することによって、ＩＰＤＣ受信機１は、テレビジョン受像機２からの電源電圧によりＩＰデータを無線で出力することができる。
【００４３】
無線通信端末４は、そのＩＰデータを処理することにより、テレビジョン受像機２と連動するサブデバイスを実現することができる。たとえばマルチスクリーン連動型のシステムを構築することができる。
【００４４】
さらに、本考案の実施の形態１によれば、ＩＰＤＣ受信機１は、建物（家屋２００）の壁面５０に設けられた壁面端子５１と直接接続可能に構成された入力端子１１を備える。
【００４５】
ＩＰＤＣ受信機１は、テレビジョン受像機２で表示される番組の内容と連動するデータを、無線通信端末４に送信する。したがって、ＩＰＤＣ受信機１がＩＰデータを無線で送信可能な範囲は、基本的には、ＩＰＤＣ受信機１およびテレビジョン受像機２の設置された部屋の中だけで十分である。
【００４６】
たとえばＩＰＤＣ受信機１が設置された部屋があり、その隣の部屋に、無線通信端末４とは別の無線通信端末が存在するとする。ＩＰＤＣ受信機１の設置位置によっては、隣の部屋にある別の無線通信端末が、ＩＰＤＣ受信機１から送信されたＩＰデータを受信する可能性がある。
【００４７】
壁面端子５１は多くの場合、部屋の隅に配置されている。ＩＰＤＣ受信機１の送信電力を小さくすることで、ＩＰＤＣ受信機１からのＩＰデータの送信範囲を、テレビジョン受像機２の設置された部屋全体よりも小さい範囲にすることができる。ＩＰＤＣ受信機１を壁面端子５１に直接に接続できるので、別の部屋に存在する無線通信端末が、ＩＰＤＣ受信機１からのデータを受信する可能性を小さくすることができる。
【００４８】
ＩＰＤＣ受信機１がＩＰデータを送信するための送信電力が小さい場合、視聴者が、テレビジョン受像機２によって放送内容を視聴できるものの、視聴者が携帯する無線通信端末４がＩＰデータを受信できない（視聴者が、ＩＰデータを受信できるエリア内に存在しない）可能性が考えられる。しかしながら、テレビジョン受像機２は、壁面端子５１の近くに配置されることが多い。したがって、ＩＰＤＣ受信機１がＩＰデータを送信可能な範囲を、テレビジョン受像機２の視聴可能範囲とを重ねることができる。したがって視聴者は、テレビジョン受像機２により放送内容を視聴しながら、その放送内容に関する情報を、無線通信端末４を利用して受信することができる。したがって、本考案の実施の形態１によれば、上記の点からも、実用性の高いＩＰＤＣ受信機を提供することができる。
【００４９】
なお、上記の説明は、ＩＰＤＣ受信機１を壁面端子５１に直接接続することの利点を説明したものであり、ＩＰＤＣ受信機１を壁面端子５１に直接接続しなければならないように本考案に係るＩＰＤＣ受信機１を限定するものではない。したがって、両端にＦ型コネクタが接続された同軸ケーブルによって、壁面端子５１とＩＰＤＣ受信機１の入力端子１１とを接続することもできる。
【００５０】
［実施の形態２］
本考案の実施の形態２に係るＩＰＤＣ受信機１を含むシステムの全体構成は図１に示す構成と同様である。本考案の実施の形態２では、ＩＰＤＣ受信機１の出力端子１２（図５参照）から出力される放送信号に直流電圧が重畳される場合に、ＩＰＤＣ受信機１が動作可能なように、ＩＰＤＣ受信機１が構成される。
【００５１】
図５は、本考案の実施の形態２に係るＩＰＤＣ受信機１の内部構成を示したブロック図である。図３および図５を参照して、実施の形態２に係るＩＰＤＣ受信機１は、ＲＦＣ１３が省略される点において、本考案の実施の形態１に係るＩＰＤＣ受信機１と相違する。図５に示したＩＰＤＣ受信機１の他の部分の構成および機能は、図３に示した構成および機能とそれぞれ同一である。
【００５２】
本考案の実施の形態２によれば、本考案の実施の形態１と同様と同様の効果を奏することができる。すなわち本考案の実施の形態２によれば、テレビジョン受像機２から供給される電源電圧によってＩＰＤＣ受信機１は動作可能である。したがって本考案の実施の形態２によれば実用可能なＩＰＤＣ受信機を提供することができる。
【００５３】
さらに、本考案の実施の形態２によれば、壁面端子５１に直接接続可能なようにＩＰＤＣ受信機を構成することができる。したがって本考案の実施の形態１と同様に、本考案の実施の形態２によれば実用性の高いＩＰＤＣ受信機を提供することができる。
【００５４】
［実施の形態３］
図６は、本考案の実施の形態３に係るＩＰＤＣ受信機１を含むシステムの概要図である。図６を参照して、本考案の実施の形態３では、ＩＰＤＣ受信機１の入力端子１１（図７を参照）に入力される放送信号に直流電圧が重畳される場合に、ＩＰＤＣ受信機１が動作可能なようにＩＰＤＣ受信機１が構成される。
【００５５】
図７は、本考案の実施の形態３に係るＩＰＤＣ受信機１の内部構成を示したブロック図である。図３および図７を参照して、実施の形態３に係るＩＰＤＣ受信機１は、ＲＦＣ１４が省略される点において、本考案の実施の形態１に係るＩＰＤＣ受信機１と相違する。図７に示したＩＰＤＣ受信機１の他の部分の構成および機能は、図２に示した構成および機能とそれぞれ同一である。
【００５６】
また、ＩＰＤＣ受信機１の入力端子１１に入力される信号に電源電圧を重畳するための構成には、図４に示した構成を採用することができる。
【００５７】
本考案の実施の形態３によれば、本考案の実施の形態１，２と同様の効果を奏することができる。すなわち本考案の実施の形態３によれば、直流電圧が重畳された放送信号が入力されることによってＩＰＤＣ受信機は動作可能である。したがって本考案の実施の形態３によれば実用可能なＩＰＤＣ受信機を提供することができる。
【００５８】
さらに、本考案の実施の形態３によれば、壁面端子５１に直接接続可能なようにＩＰＤＣ受信機を構成することができる。したがって本考案の実施の形態１，２と同様に、本考案の実施の形態３によれば実用性の高いＩＰＤＣ受信機を提供することができる。
【００５９】
［実施の形態４］
図８は、本考案の実施の形態４に係るＩＰＤＣ受信機１を含むシステムの概要図である。図１および図８を参照して、本考案の実施の形態４では、ＩＰＤＣ受信機１の電源電圧は、ＩＰＤＣ受信機１に接続されるＡＣ／ＤＣコンバータ２２（ＡＣアダプタ）によって供給される。ＡＣ／ＤＣコンバータ２２は、交流電源６１（商用電源）から供給されるＡＣ電圧をＤＣ電圧に変換して、ＩＰＤＣ受信機１に、そのＤＣ電圧を供給する。
【００６０】
図９は、本考案の実施の形態４に係るＩＰＤＣ受信機１の概略的な外観を示した斜視図である。図９を参照して、ＩＰＤＣ受信機１は、ＡＣ／ＤＣコンバータ２２に接続される接続端子２５が設けられた筐体１０を有する。この点で本考案の実施の形態４に係るＩＰＤＣ受信機１は、本考案の実施の形態１に係るＩＰＤＣ受信機１と相違する。
【００６１】
図１０は、本考案の実施の形態４に係るＩＰＤＣ受信機１の内部構成を示したブロック図である。図３および図１０を参照して、実施の形態４に係るＩＰＤＣ受信機１は、ＲＦＣ１３，１４および逆流防止ダイオード１５が省略される点において、本考案の実施の形態１に係るＩＰＤＣ受信機１と相違する。さらに実施の形態４に係るＩＰＤＣ受信機１は、ＤＣ／ＤＣコンバータ１７の入力側に接続された接続端子２５を有する点で本考案の実施の形態１に係るＩＰＤＣ受信機１と相違する。なお、図１０に示したＩＰＤＣ受信機１の他の部分の構成および機能は、図２に示した構成および機能とそれぞれ同一である。また、図１０に示す構成によれば、ＤＣ／ＤＣコンバータ１７および接続端子２５が、ＩＰＤＣ受信機１の内部の電源回路２１を構成する。
【００６２】
上記のように接続端子２５には、ＡＣ／ＤＣコンバータ２２が接続される。ＤＣ／ＤＣコンバータ１７は、ＡＣ／ＤＣコンバータ２２から供給されるＤＣ電圧を、無線出力回路２４（ＩＳＤＢ−Ｔチューナ１８、制御回路１９および無線通信部２０）の動作に適切な大きさのＤＣ電圧に変換する。ＤＣ／ＤＣコンバータ１７によって変換された後のＤＣ電圧は、無線出力回路２４の電源電圧として無線出力回路２４に供給される。なお、ＤＣ／ＤＣコンバータ１７を省略して、ＡＣ／ＤＣコンバータ２２から供給されるＤＣ電圧を、無線出力回路２４の電源電圧として、無線出力回路２４に直接供給してもよい。
【００６３】
本考案の実施の形態４によれば、本考案の実施の形態１〜３と同様の効果を奏することができる。すなわち本考案の実施の形態４によれば、ＡＣ／ＤＣコンバータ２２から供給されるＤＣ電圧により、ＩＰＤＣ受信機は動作可能である。したがって本考案の実施の形態４によれば実用可能なＩＰＤＣ受信機を提供することができる。
【００６４】
さらに、本考案の実施の形態４によれば、壁面端子５１に直接接続可能なようにＩＰＤＣ受信機を構成することができる。したがって本考案の実施の形態１〜３と同様に、本考案の実施の形態４によれば実用性の高いＩＰＤＣ受信機を提供することができる。
【００６５】
［実施の形態５］
図１１は、本考案の実施の形態５に係るＩＰＤＣ受信機１Ａを含むシステムの概要図である。図１および図１１を参照して、本考案の実施の形態５では、ＩＰＤＣ受信機１は、ＩＰデータを無線で送信する機能を有する一方で、放送信号を出力する機能を有していない。テレビジョン受像機２には、たとえば図示しない室内アンテナ等により、放送信号が入力される。
【００６６】
図１２は、本考案の実施の形態５に係るＩＰＤＣ受信機１Ａの１つの構成例を示した外観図である。図４および図１２を参照して、本考案の実施の形態５に係るＩＰＤＣ受信機１Ａは、筐体１０から出力端子１２が省略される点において、本考案の実施の形態１に係るＩＰＤＣ受信機１と異なる。ＩＰＤＣ受信機１Ａは、壁面端子５１に接続された入力端子１１から、ＤＣ電圧が重畳された放送信号を受ける。これにより、ＩＰＤＣ受信機１Ａは、電源電圧のためのＤＣ電圧を受けることができる。
【００６７】
図１３は、図１２に示すＩＰＤＣ受信機１Ａの内部構成を示したブロック図である。図３および図１３を参照して、本考案の実施の形態５の１つの構成例に係るＩＰＤＣ受信機１Ａは、出力端子１２と、ＲＦＣ１４と、分配器１６とが省略される点において、本考案の実施の形態１に係るＩＰＤＣ受信機１と相違する。
【００６８】
図１４は、本考案の実施の形態５に係るＩＰＤＣ受信機１Ａの他の構成例を示した外観図である。この構成は、本考案の実施の形態４に係るＩＰＤＣ受信機１と対比される。図２および図１４を参照して、本考案の実施の形態５の１つの構成例に係るＩＰＤＣ受信機１Ａは、筐体１０から出力端子１２が省略される点、および、ＡＣ／ＤＣコンバータ２２を接続するための接続端子２５が筐体１０に設けられる点において、本考案の実施の形態１に係るＩＰＤＣ受信機１と異なる。すなわち図１４に示された構成は、本考案の実施の形態４に係るＩＰＤＣ受信機１とは、筐体１０から出力端子１２が省略される点において異なっている。
【００６９】
図１５は、図１４に示すＩＰＤＣ受信機１Ａの内部構成を示したブロック図である。図３および図１５を参照して、本考案の実施の形態５の他の構成例に係るＩＰＤＣ受信機１Ａは、出力端子１２と、ＲＦＣ１３，１４と、逆流防止ダイオード１５と、分配器１６とが省略される点、および、接続端子２５がＤＣ／ＤＣコンバータ１７の入力側に接続される点において、本考案の実施の形態１に係るＩＰＤＣ受信機１と相違する。また、図１５に示す構成は、出力端子１２と、分配器１６とが省略される点において、図１０に示す構成と異なる。
【００７０】
本考案の実施の形態５によれば、ＩＰデータが重畳された放送信号からＩＰデータを抽出して、そのＩＰデータを無線で送信することができる。また、ＩＰＤＣ受信機を駆動するための電源の構成として種々の構成を採用することができる。したがって本考案の実施の形態５によれば、実用可能なＩＰＤＣ受信機を提供することができる。
【００７１】
さらに本考案の実施の形態５によれば、壁面端子５１に直接接続可能なようにＩＰＤＣ受信機を構成することができる。したがって本考案の実施の形態１〜４と同様に、本考案の実施の形態５によれば実用性の高いＩＰＤＣ受信機を提供することができる。
【００７２】
［実施の形態６］
図１６は、本考案の実施の形態６に係るＩＰＤＣ受信機１の内部構成を示したブロック図である。図３および図１６を参照して、本考案の実施の形態６では、ＩＰＤＣ受信機１は、逆流防止ダイオード１５が省略される点、接続端子２５がＤＣ／ＤＣコンバータ１７の入力側に接続される点において、本考案の実施の形態１に係るＩＰＤＣ受信機１と相違する。
【００７３】
また、図１０および図１６の比較から分かるように、本考案の実施の形態６に係るＩＰＤＣ受信機１は、本考案の実施の形態４に係るＩＰＤＣ受信機１（図１０に示す）において、入力端子１１と出力端子１２との間に直列に接続されるＲＦＣ１３およびＲＦＣ１４を追加した構成を有する。
【００７４】
本考案の実施の形態６によれば、本考案の実施の形態１〜５と同様に、実用可能なＩＰＤＣ受信機を提供することができる。さらに、本考案の実施の形態６では、ＲＦＣ１３およびＲＦＣ１４が入力端子１１と出力端子１２との間に直列に接続されているので、入力端子１１と出力端子１２との間を電流が通過することができる。
【００７５】
［実施の形態７］
本考案の実施の形態１〜４，６に係るＩＰＤＣ受信機１は、放送信号を２つの信号に分けるための信号分割部として、分配器１６を有する。分配器１６は、１つの放送信号を、強度の等しい２つの信号に分ける。
【００７６】
本考案の実施の形態７に係るＩＰＤＣ受信機は、本考案の実施の形態１〜４，６のうちの１つに係るＩＰＤＣ受信機１において、分配器を分岐器に置き換えた構成を有する。以下に、本考案の実施の形態７に係るＩＰＤＣ受信機１の構成例を説明する。
【００７７】
図１７は、本考案の実施の形態７に係るＩＰＤＣ受信機１の１つの構成例を示したブロック図である。図１７に示された構成は、本考案の実施の形態１に係るＩＰＤＣ受信機１（図３を参照）において、分配器１６を分岐器１６Ａに置き換えた構成と等価である。
【００７８】
図１８は、本考案の実施の形態７に係るＩＰＤＣ受信機１の他の構成例を示したブロック図である。図１８に示された構成は、本考案の実施の形態６に係るＩＰＤＣ受信機１（図１６を参照）において、分配器１６を分岐器１６Ａに置き換えた構成と等価である。
【００７９】
分岐器１６Ａは、入力端子１１から入力される放送信号の一部を分岐して、分岐された信号を無線出力回路２４へと出力する。したがって、分岐された放送信号のレベルは、幹線（入力端子１１から出力端子１２へと放送信号を伝達する経路）に出力される放送信号のレベルよりも低くなる。すなわち、分岐器１６Ａは、必要な大きさの放送信号だけを幹線から取出して無線出力回路２４に出力する。
【００８０】
さらに、図１７に示される構成からＲＦＣ１３を省略することもできる。この場合、本考案の実施の形態２に係るＩＰＤＣ受信機１（図５参照）において、分配器１６を分岐器１６Ａに置き換えたのと等価な構成が得られる。
【００８１】
同様に、図１７に示される構成からＲＦＣ１４を省略することもできる。この場合、本考案の実施の形態３に係るＩＰＤＣ受信機１（図７参照）において、分配器１６を分岐器１６Ａに置き換えたのと等価な構成が得られる。
【００８２】
同様に、図１７に示される構成からＲＦＣ１３，１４および逆流防止ダイオード１５を省略するとともに、接続端子２５を追加することもできる。この場合、本考案の実施の形態４に係るＩＰＤＣ受信機１（図１０参照）において、分配器１６を分岐器１６Ａに置き換えたのと等価な構成が得られる。
【００８３】
図１９は、本考案の実施の形態７に係るＩＰＤＣ受信機１のさらに他の構成例を示したブロック図である。図１９に示された構成は、図１７に示される構成に、ＤＣ／ＤＣコンバータ１７の入力側に接続された接続端子２５が追加された構成と等価である。本考案の実施の形態４と同様に、接続端子２５には、ＡＣ／ＤＣコンバータ２２を接続することができる。
【００８４】
なお、上記の各実施の形態では、放送信号を受信するアンテナ、および壁面端子５１が設置された建物の一例として一般家庭の家屋を例示している。しかし、本考案に係るＩＰＤＣ受信機は放送信号を出力するための壁面端子５１が設置された建物に設置可能である。
【００８５】
また、上記の各実施の形態では、放送信号としては、放送局からの地上デジタル放送波を示した。しかし、ＩＰデータが重畳された放送信号であれば、特にその放送信号の種類を限定することなく、本考案に係るＩＰＤＣ受信機を、その放送信号の受信に用いることができる。たとえばＩＰデータが重畳された放送信号は、自主放送波であってもよい。
【００８６】
また、上記の各実施の形態では、電波によるＩＰＤＣの実現例を示した。しかしながら、ＣＡＴＶ局が独自コンテンツの配信にＩＰＤＣを利用する場合にも、本考案に係るＩＰＤＣ受信機は適用可能である。このような場合には、ＩＰＤＣ受信機への給電としては、図４に示される給電方法を採用することができる。すなわち、ＣＡＴＶ局から送られる放送信号がケーブル２０２を通じて電源装置２０３に入力される。電源装置２０３からは電源電圧としてのＤＣ電圧が重畳された放送信号が出力される。ＩＰＤＣ受信機は、この放送信号を受けることで電源電圧を受けることができる。
【００８７】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００８８】
１，１Ａ  ＩＰＤＣ受信機、２  テレビジョン受像機、３  無線ルータ、４  無線通信端末、１０  筐体、１１  入力端子、１２  出力端子、１３，１４  ＲＦＣ（高周波チョークコイル）、１５  逆流防止ダイオード、１６  分配器、１６Ａ  分岐器、１７  ＤＣ／ＤＣコンバータ、１８  ＩＳＤＢ−Ｔチューナ、１９  制御回路、２０  無線通信部、２１  電源回路、２２  ＡＣ／ＤＣコンバータ、２４  無線出力回路、２５  接続端子、５０  壁面、５１  壁面端子、６１  交流電源、１０１  放送局、１０２  電波塔、２００  家屋、２０１  アンテナ、２０２  ケーブル、２０３  電源装置、３０１  ネットワーク、３０２  サーバ。
【図１】
0003185123.tif 000003
【図２】
0003185123.tif 000004
【図３】
0003185123.tif 000005
【図４】
0003185123.tif 000006
【図５】
0003185123.tif 000007
【図６】
0003185123.tif 000008
【図７】
0003185123.tif 000009
【図８】
0003185123.tif 000010
【図９】
0003185123.tif 000011
【図１０】
0003185123.tif 000012
【図１１】
0003185123.tif 000013
【図１２】
0003185123.tif 000014
【図１３】
0003185123.tif 000015
【図１４】
0003185123.tif 000016
【図１５】
0003185123.tif 000017
【図１６】
0003185123.tif 000018
【図１７】
0003185123.tif 000019
【図１８】
0003185123.tif 000020
【図１９】
0003185123.tif 000021